(57)【要約】【課題】電話回線上の電流不足による動作不良を防止する。【解決手段】公衆回線２に接続されたモデム３１および外部電話３２を有し、モデム３１と外部電話３２とが並列して公衆回線２に接続されている通信端末装置１において、公衆回線２からモデム３１に印加される電圧を測定する電圧測定手段と、その電圧測定手段で測定された電圧に基づいて算出した電流値が閾値を超えたことを検知したとき、公衆回線２との接続状態が不良である旨をオペレーションパネル部６に表示する制御部７とを備えた。【選択図】        図１
2012065053.tif 000002
【特許請求の範囲】
【請求項１】
公衆回線に接続されたモデムおよび電話を有し、前記モデムと前記電話とが並列して前記公衆回線に接続されている通信端末装置において、
前記公衆回線から前記モデムに印加される電圧を測定する電圧測定手段と、
前記電圧測定手段で測定された電圧に基づいて算出した電流値が閾値を超えたことを検知したとき、前記公衆回線との接続状態が不良である旨を表示部に表示する制御部とを備えたことを特徴とする通信端末装置。
【請求項２】
請求項１の通信端末装置において、
前記公衆回線と前記電話との間に、前記電話を、前記公衆回線に接続または前記公衆回線から切断する切替手段を設け、
前記制御部は、前記電圧測定部で測定された電圧に基づいて算出した電流値が閾値を超えたことを検知したとき、前記切替手段により前記電話を前記公衆回線から切断することを特徴とする通信端末装置。
【請求項３】
請求項１の通信端末装置において、
前記公衆回線と前記モデムとの間に、前記モデムを、前記公衆回線に接続または前記公衆回線から切断する切替手段を設け、
前記制御部は、前記電圧測定部で測定された電圧に基づいて算出した電流値が閾値を超えたことを検知したとき、前記切替手段により前記モデムを前記公衆回線から切断することを特徴とする通信端末装置。
【発明の詳細な説明】
【技術分野】
【０００１】
本発明は、モデムを搭載し、電話機が接続された多機能プリンタや複合機等の通信端末装置に関する。
【背景技術】
【０００２】
従来の通信端末装置は、電話回線に接続されているモデムが通信していない状態において、電話回線上の電圧の変化を検知してモデムに併設された電話機のオフフックを検出するようにしている（例えば、特許文献１参照）。
また、通信端末装置の直流回路が閉じたことにより形成されるループ電流をフォトカプラで検知してモデムに併設された電話機のオフフックを検出するようにしているものもある（例えば、特許文献２参照）。
【先行技術文献】
【特許文献】
【０００３】
【特許文献１】特開２００４−２０７８０９号公報（段落「００２２」〜段落「００３１」、図２）
【特許文献２】特開平８−２５１２７９号公報（段落「００２２」〜段落「００２４」、図３）
【発明の概要】
【発明が解決しようとする課題】
【０００４】
しかしながら、上述した従来の技術においては、電話回線上の電流は、交換機から通信端末装置までの線路抵抗や通信端末装置自身の直流抵抗の影響を受けるため、電話回線上の電流が不足して電話機のオフフック検出機能、モデム機能、または電話機能が正常に動作しないという問題がある。
本発明は、このような問題を解決することを課題とし、電話回線上の電流不足による動作不良を防止することを目的とする。
【課題を解決するための手段】
【０００５】
そのため、本発明は、公衆回線に接続されたモデムおよび電話を有し、前記モデムと前記電話とが並列して前記公衆回線に接続されている通信端末装置において、前記公衆回線から前記モデムに印加される電圧を測定する電圧測定手段と、前記電圧測定手段で測定された電圧に基づいて算出した電流値が閾値を超えたことを検知したとき、前記公衆回線との接続状態が不良である旨を表示部に表示する制御部とを備えたことを特徴とする。
【発明の効果】
【０００６】
このようにした本発明は、電話回線上の電流不足による動作不良を防止することができるという効果が得られる。
【図面の簡単な説明】
【０００７】
【図１】第１の実施例における多機能プリンタの構成を示すブロック図
【図２】第１の実施例における多機能プリンタの接続構成を示すブロック図
【図３】第１の実施例における多機能プリンタのファクシミリ／電話部を流れる電流の説明図
【図４】第１の実施例における電話回線電流のスライス設定の説明図
【図５】第１の実施例における電話回線の状況を報知する画面の説明図
【図６】第２の実施例における多機能プリンタの構成を示すブロック図
【図７】第２の実施例における多機能プリンタのファクシミリ／電話部を流れる電流の説明図
【図８】第２の実施例における自動切換処理を示すフローチャート
【発明を実施するための形態】
【０００８】
以下、図面を参照して本発明による通信端末装置の実施例を説明する。
【実施例１】
【０００９】
図１は第１の実施例における多機能プリンタの構成を示すブロック図である。
図１において、１はモデムおよび電話機を搭載した通信端末装置としての多機能プリンタである。この多機能プリンタ１は、ファクシミリ／電話部３、画像を印刷するプリンタ部４、原稿の画像を読取るスキャナ部５、利用者が操作するオペレーションパネル部６、および多機能プリンタ１全体を統括して制御する制御部７で構成され、電話回線としての公衆回線２に接続されている。
【００１０】
ファクシミリ／電話部３は、公衆回線２に接続され、シリコンＤＡＡ（Ｄａｔａ  Ａｃｃｅｓｓ  Ａｒｒａｎｇｅ−ｍｅｎｔ）等からなるモデム(シリコンＤＡＡ)３１、電話線等で多機能プリンタ１に接続された電話としての外部電話３２およびフォトカプラ３３により構成されている。モデム(シリコンＤＡＡ)３１と外部電話３２は、公衆回線２に並列に接続されており、またフォトカプラ３３は公衆回線２と外部電話３２との間に接続されている。
【００１１】
モデム（シリコンＤＡＡ）３１は、公衆回線２を介して受信したアナログ信号をデジタル信号に変換し、また後述する制御部７から通知されたデジタル信号をアナログ信号に変換して公衆回線２へ送出するものである。
また、モデム（シリコンＤＡＡ）３１は、公衆回線２との接続／切断を行うオンフック／オフフック切替手段および公衆回線２から印加される電圧を測定する電圧測定手段を備えている。
【００１２】
外部電話３２は、公衆回線２に接続されたアナログ式の電話である。フォトカプラ３３は、公衆回線２からの電流を検知して外部電話３２のオンフック／オフフックを検出するものである。なお、本実施例では、外部電話３２は多機能プリンタ１に電話線等を介して接続されているものとして説明するが、多機能プリンタ１に内蔵された電話としても良い。
プリンタ部４は、公衆回線２およびモデム(シリコンＤＡＡ)３１を介して受信した画像データに基づいて印刷用紙に画像を形成する感熱式プリンタ、インクジェット式プリンタや電子写真方式プリンタ等の画像形成部である。
【００１３】
スキャナ部５は、ＣＣＤ（Ｃｈａｒｇｅ  Ｃｏｕｐｌｅｄ  Ｄｅｖｉｃｅ）センサ等により原稿を読取り、その原稿のデジタルデータとしてのイメージデータを生成する原稿読取部である。
オペレーションパネル部６は、文字や図形等を表示する液晶ディスプレイ等の表示部および利用者の操作を受付ける操作キーや操作ボタン等の操作部で構成されたものである。
【００１４】
制御部７は、演算手段および制御手段としてのＣＰＵ（Ｃｅｎｔｒａｌ  Ｐｒｏｃｅｓｓｉｎｇ  Ｕｎｉｔ）等により構成され、図示しないメモリ等の記憶手段に記憶された制御プログラム（ソフトウェア）に基づいて多機能プリンタ１全体の動作を制御するものである。
【００１５】
なお、制御部７は、ファクシミリ／電話部３、プリンタ部４、スキャナ部５、およびオペレーションパネル部６と図示しない信号線で接続され、制御信号の入出力を行うことができるようになっており、モデム（シリコンＤＡＡ）３１からの信号により、モデム（シリコンＤＡＡ）３１がオンフックまたはオフフックのいずれかの状態であることを知ることができ、また公衆回線２からモデム（シリコンＤＡＡ）３１に印加されている電圧を知ることができるようになっている。さらに、制御部７は、フォトカプラ３３からの信号により外部電話３２がオンフックまたはオフフックのいずれかの状態であることを知ることができるようになっている。
【００１６】
このように構成された多機能プリンタ１は、公衆回線２を介して受信した画像データのアナログ信号をファクシミリ／電話部３のモデム(シリコンＤＡＡ)３１でデジタル信号に変換し、変換されたデジタル信号の画像データに基づいてプリンタ部４で記録媒体に印刷し、またスキャナ部５で読取った原稿のイメージデータとしてのデジタル信号をファクシミリ／電話部３のモデム(シリコンＤＡＡ)３１でアナログ信号に変換し、そのアナログ信号を公衆回線２へ送信するファクシミリ機能を有し、それに併設されて外部電話３２を用いて通話が可能な電話機能を有している。
【００１７】
図２は第１の実施例における多機能プリンタの接続構成を示すブロック図である。
図２において、多機能プリンタ１は、公衆回線２に接続された交換機２１を介して端末Ａ２２と接続されている。このように接続された多機能プリンタ１へ端末Ａ２２から画像データを送信して印刷するファクシミリ送信を行う場合について説明する。
【００１８】
ファクシミリ送信を行うため端末Ａ２２（ファクシミリ送信側）から画像データを多機能プリンタ１宛てに送信すると、公衆回線２を経由して交換機２１はファクシミリ受信側の多機能プリンタ１へ呼び出し信号を送出する。
【００１９】
図１において、呼び出し信号を受信した多機能プリンタ１は、モデム(シリコンＤＡＡ)３１で一定時間経過してもファクシミリ信号であることを示すＣＮＧ信号を受信しない場合、外部電話３２を鳴動させて受信を促し、ＣＮＧ信号および画像データ（ファクシミリデータ）を受信した場合、オペレーションパネル部６の所定の操作キーを押下することでモデム(シリコンＤＡＡ)３１が画像データを受信する。
このように多機能プリンタ１は、モデム(シリコンＤＡＡ)３１と外部電話３２の双方が公衆回線２を捕捉した並列接続となっている。
【００２０】
上述した構成の作用について図２および図３に基づき図１を参照しながら説明する。
なお、以下の実施例で説明する各部の動作は、図示しないメモリや磁気ディスク等の記憶手段に格納されたプログラム（ソフトウェア）に基づいて図１に示す制御部７により制御される。
【００２１】
図２において、多機能プリンタ１に供給される電流は、交換機２１や多機能プリンタ１までの公衆回線２上の抵抗等の多機能プリンタ１の外部の要因、およびモデム(シリコンＤＡＡ)３１や外部電話３２の抵抗等の多機能プリンタ１の内部の要因により決定される。
【００２２】
日本国内の場合、公衆回線２の回線電流は、「事業用電気通信設備規則第２７条」により１５ｍＡ以上１３０ｍＡ以下と定められている。これに対して、「端末設備等規則第１３条（直流回路の電気的条件）」では、直流回路を閉じている時のアナログ電話端末（多機能プリンタ１）の直流回路の直流抵抗値を２０ｍＡ以上１２０ｍＡ以下の電流で測定した値で５０Ω以上３００Ω以下であることと定めている。
【００２３】
したがって、回線電流が１５ｍＡ以上２０ｍＡ未満において、アナログ電話端末（多機能プリンタ１）の直流抵抗値の規定がなく、アナログ電話端末（多機能プリンタ１）の固体差により公衆回線２の回線電流が左右されると考えられる。
【００２４】
図３は第１の実施例における多機能プリンタのファクシミリ／電話部を流れる電流の説明図である。なお、図３においてフォトカプラ３３は省略している。
まず、呼出信号を検出したモデム(シリコンＤＡＡ)３１は、図３（ａ）に示すように、回線を捕捉して直流ループＡを形成し、ファクシミリ信号であることを示すＣＮＧ信号の検出を行う。制御部７は、モデム(シリコンＤＡＡ)３１を介してＣＮＧ信号を検出するとファクシミリ受信動作を行い、一方受信した信号からＣＮＧ信号を検出せず、所定時間の経過を検知した場合（例えば、電話による通話信号の場合）、電話を鳴動させて電話のオフフックを促す電話／ファクシミリ（ＦＡＸ）自動切換え制御を行う。
【００２５】
ここで、外部電話３２をオフフックすると、図３（ｂ）に示すように、モデム(シリコンＤＡＡ)３１を経由する直流ループＡと外部電話３２を経由する直流ループＢとが形成され、モデム(シリコンＤＡＡ)３１と外部電話３２とが並列接続の状態へと移行する。
直流ループＡおよび直流ループＢを形成すると、モデム(シリコンＤＡＡ)３１と外部電話３２との直流抵抗値の割合で供給電流が分配されるため、回線電流が１５ｍＡ以上２０ｍＡ未満と少ない状況下ではモデム(シリコンＤＡＡ)３１や外部電話３２が回線電流の不足により動作不良を発生させる場合がある。
【００２６】
このようにファクシミリ機能および電話機能を有する従来の多機能プリンタに電話を接続する場合、接続される電話機は電気通信事業法および関連する総務省令によって定められた技術基準に適合していることを認定する技術基準適合認定を受けている多種多様な端末となるが、回線電流が２０ｍＡ未満となる環境では、端末の直流抵抗値の規定がないため、端末による個体差も大きくなると考えられ、接続される電話機次第でモデム(シリコンＤＡＡ)３１や外部電話３２の動作に影響を与えることが懸念される。
【００２７】
そこで、本実施例では、呼出信号が送出されモデム（シリコンＤＡＡ）３１がオフフックの状態になり、かつフォトカプラ３３により外部電話３２がオフフックの状態になったことを制御部７が検出したとき、制御部７は、呼出信号が送出されたことを検知した毎に、モデム（シリコンＤＡＡ）３１の回線電圧Ｖ１１とモデム（シリコンＤＡＡ）３１の直流抵抗値Ｒ１とからモデム（シリコンＤＡＡ）３１の回線電流Ｉ１（＝回線電圧Ｖ１１／直流抵抗値Ｒ１）を算出する。
【００２８】
なお、回線電圧Ｖ１１は、電圧測定手段としてのモデム（シリコンＤＡＡ）３１により測定され、制御部７がモデム（シリコンＤＡＡ）３１から読取るものとする。また、直流抵抗値Ｒ１は既知であり、記憶手段に予め記憶されているものとする。
【００２９】
算出した回線電流Ｉ１が閾値としての設定値ＳＬＢ(可変値)より小さい場合、回線電流が１５ｍＡ以上２０ｍＡ未満の範囲にあり、直流抵抗は規格内にはなく、動作不良となる可能性があるため、制御部７は、オペレーションパネル部６の利用者のキー操作（例えば、図５に示すラインＣＨＫキー６１を押下）により、表示部６２にラインチェック結果を出力して現在の回線状況を利用者に報知する。このラインチェック結果は、算出した回線電流Ｉ１が閾値としての設定値ＳＬＢ(可変値)より小さい場合、すなわち回線電流が１５ｍＡ以上２０ｍＡ未満の範囲にあるとき、図５（ｂ）に示すように「ラインチェック：ＮＧ」、一方算出した回線電流Ｉ１が閾値としての設定値ＳＬＢ(可変値)以上の場合、すなわち回線電流が１５ｍＡ以上２０ｍＡ未満の範囲外にあるとき、図５（ａ）に示すように「ラインチェック：ＯＫ」を表示するものとする。
【００３０】
なお、オペレーションパネル部６の利用者のキー操作（例えば、図５に示すラインＣＨＫキー６１を押下）を待つことなく、表示部６２にラインチェック結果を出力して現在の回線状況を利用者に報知するようにしても良いが、多機能プリンタ１の消費電力を抑制および誤報知を防止するため、利用者のキー操作を待機して表示部６２にラインチェック結果を出力することが望ましい。
【００３１】
また、オペレーションパネル部６に、ラインチェック結果の表示を有効または無効に設定するキーを設け、ラインチェック結果の表示が「有効」に設定されているときに、表示部６２にラインチェック結果を出力して現在の回線状況を利用者に報知するようにしても良い。
【００３２】
ここで、外部電話３２についてはモデム（シリコンＤＡＡ）３１と同じく日本国内での使用を想定しており、一般的に、それぞれの直流抵抗値は、（モデム（シリコンＤＡＡ）３１の直流抵抗値Ｒ１）≒（外部電話３２の直流抵抗値Ｒ２）と考えられ、（外部電話３２に供給される回線電流Ｉ２）≒（モデム（シリコンＤＡＡ）３１に供給される回線電流Ｉ１）の関係にある。したがって、モデム（シリコンＤＡＡ）３１に供給される回線電流Ｉ１が２０ｍＡ未満であることを検知して外部電話３２に供給される回線電流Ｉ２が２０ｍＡ未満であることを検知することができる。
【００３３】
しかし、本実施例では、モデム（シリコンＤＡＡ）３１の直流抵抗値Ｒ１を意図的に変更している場合などを考慮して、図４に示すようにモデム（シリコンＤＡＡ）３１に供給される回線電流Ｉ１を判定するためのスライス設定値ＳＬＢは、例えばスライス設定値ＳＬＢ−α、スライス設定値ＳＬＢ、スライス設定値ＳＬＢ＋βとして任意に変更することができるように記憶手段に予め記憶しておくものとする。なお、αおよびβは任意の値である。
【００３４】
このように、モデム（シリコンＤＡＡ）３１に供給される回線電流Ｉ１が閾値を超えたことを検知して電話回線の状況をオペレーションパネル部６に表示し利用者に報知するようにしたことにより、利用者はモデム（シリコンＤＡＡ）３１と外部電話３２が並列接続となり電話回線上の電流が不足することに起因するフォトカプラ３３（電話機のオフフック検出）、モデム（シリコンＤＡＡ）３１、または外部電話３２の動作不良などによる通信障害を未然に防ぐことができる。
【００３５】
以上説明したように、第１の実施例では、モデムに供給される回線電流が閾値を超えたことを検知して電話回線の状況を表示して利用者に報知するようにしたことにより、利用者は電話回線上の電流が不足することに起因する電話機のオフフック検出機能、モデム機能または電話機能の動作不良を未然に防ぐことができるという効果が得られる。
【実施例２】
【００３６】
図６は第２の実施例における多機能プリンタの構成を示すブロック図である。なお、上述した第１の実施例と同様の部分は、同一の符号を付してその説明を省略する。
図６において、多機能プリンタ１は、ファクシミリ／電話部３、画像を印刷するプリンタ部４、原稿の画像を読取るスキャナ部５、利用者が操作するオペレーションパネル部６、および多機能プリンタ１全体を統括して制御する制御部７で構成され、電話回線としての公衆回線２に接続されている。
【００３７】
ファクシミリ／電話部３は、公衆回線２に接続され、シリコンＤＡＡ等からなるモデム(シリコンＤＡＡ)３１、電話線等で多機能プリンタ１に接続された外部電話３２、フォトカプラ３３およびリレー３４により構成されている。モデム(シリコンＤＡＡ)３１と外部電話３２は、公衆回線２に並列に接続されており、またリレー３４およびフォトカプラ３３は公衆回線２と外部電話３２との間に接続されている。
【００３８】
切替手段としてのリレー３４は、公衆回線２と外部電話３２とを接続／切断の切替を行うものであり、その接続／切断の切替は制御部７により制御されるものである。
制御部７は、モデム（シリコンＤＡＡ）３１に供給される回線電流が閾値を超えたことを検知してリレー３４を制御し、外部電話３２と公衆回線２との接続／切断を行う。
【００３９】
上述した構成の作用を図８の第２の実施例における自動切換処理を示すフローチャートの図中Ｓで表すステップに従って図６および図７を参照しながら説明する。
Ｓ１：まず、モデム(シリコンＤＡＡ)３１は、公衆回線２上の呼出信号を検出するまで待機する。なお、初期状態のリレー３４は、図７（ａ）に示すように公衆回線２と外部電話３２とを接続した状態にあるものとする。
【００４０】
Ｓ２：呼出信号を検出したモデム(シリコンＤＡＡ)３１は、図７（ａ）に示すように、オフフックして回線を捕捉し、直流ループＡを形成する。
Ｓ３：モデム(シリコンＤＡＡ)３１は、オフフックしてからの経過時間を計測し、所定の時間Ｔを経過したか否かを判定する。その結果、所定の時間Ｔを経過していないと判定すると処理をＳ４へ移行し、所定の時間Ｔを経過していると判定すると処理をＳ５へ移行する。
【００４１】
Ｓ４：所定の時間Ｔを経過していないと判定したモデム(シリコンＤＡＡ)３１は、ファクシミリ信号であることを示すＣＮＧ信号の検出を行い、ファクシミリ信号を検出するとファクシミリ受信処理へ移行し、ファクシミリ信号を検出できないときは処理をＳ３へ移行し、時間の経過を監視する。
【００４２】
Ｓ５：受信した信号からＣＮＧ信号を検出せず（例えば、電話による通話信号）、所定時間Ｔの経過を検知すると、制御部７は電話を鳴動させて電話のオフフックを促す電話／ファクシミリ自動切換え制御を行い、外部電話３２がオフフックされるまで待機する。
Ｓ６：外部電話３２がオフフックされると、図７（ａ）に示すように、モデム(シリコンＤＡＡ)３１を経由する直流ループＡと外部電話３２を経由する直流ループＢとが形成され、モデム(シリコンＤＡＡ)３１と外部電話３２とが並列接続の状態へと移行する。
【００４３】
制御部７が、モデム（シリコンＤＡＡ）３１がオフフックの状態になり、かつフォトカプラ３３により外部電話３２がオフフックの状態になったことを検出したとき、制御部７は、第１の実施例と同様に、モデム（シリコンＤＡＡ）３１の回線電圧Ｖ１１とモデム（シリコンＤＡＡ）３１の直流抵抗値Ｒ１とからモデム（シリコンＤＡＡ）３１の回線電流Ｉ１（＝回線電圧Ｖ１１／直流抵抗値Ｒ１）を算出する。
【００４４】
Ｓ７：制御部７は、算出した回線電流Ｉ１が閾値としての設定値ＳＬＢ(可変値)以上か否かを判定し、回線電流Ｉ１が設定値ＳＬＢ(可変値)以上である場合（ＹＥＳ）、電話／ファクシミリ自動切換え制御によるモデム(シリコンＤＡＡ)３１および外部電話３２等の動作は正常に行われるため、リレー３４を接続したまま電話の受信処理へ移行する。一方、回線電流Ｉ１が設定値ＳＬＢ(可変値)未満である場合（ＮＯ）、回線電流１５〜２０ｍＡの範囲にあるため直流抵抗は規格内にはなく、モデム(シリコンＤＡＡ)３１および外部電話３２等は動作不良となる可能性があるため、処理をＳ８へ移行する。
【００４５】
Ｓ８：制御部７は、オペレーションパネル部６の表示部６２にラインチェック結果として図５（ｂ）に示す「ラインチェック：ＮＧ」を表示し、現在の回線状況が不良であることを利用者に報知する。
【００４６】
Ｓ９：制御部７は、図７（ｂ）に示すようにリレー３４により、外部電話３２と公衆回線２とを切断し、外部電話３２を公衆回線２から切り離してファクシミリ受信専用モードへ移行する。ファクシミリ受信専用モードへ移行した制御部７は、モデム(シリコンＤＡＡ)３１によりファクシミリ受信の完了を監視し、ファクシミリ受信が完了したと判定するとファクシミリ受信処理へ移行し、ファクシミリ受信処理を行う。一方、所定の時間を経過してもファクシミリ受信が完了しない場合、制御部７は、リレー３４により、外部電話３２と公衆回線２とを接続し、外部電話３２を公衆回線２に接続するとともに、モデム(シリコンＤＡＡ)３１をオンフック状態に移行させ、自動切換え処理を終了する。
【００４７】
このようにモデム（シリコンＤＡＡ）３１と外部電話３２が並列接続となる電話／ファクシミリ自動切替時に、モデム（シリコンＤＡＡ）３１に供給される回線電流Ｉ１が閾値を超えたことを検知してモデム(シリコンＤＡＡ)３１と外部電話３２等が正常に動作できない可能性があると判断すると外部電話３２を公衆回線２より切り離し、ファクシミリ受信専用モードへ自動的に切替えるようにしたため、電流不足の動作不良によりファクシミリ受信できない事態を防止することができる。
【００４８】
なお、本実施例では、リレー３４を公衆回線２と外部電話３２との間に接続するようにしたが、公衆回線２とモデム（シリコンＤＡＡ）３１との間に接続し、モデム（シリコンＤＡＡ）３１と外部電話３２が並列接続となる電話／ファクシミリ自動切替時に、モデム（シリコンＤＡＡ）３１に供給される回線電流Ｉ１が閾値を超えたことを検知してモデム(シリコンＤＡＡ)３１と外部電話３２等が正常に動作できない可能性があると判断するとモデム（シリコンＤＡＡ）３１を公衆回線２より切り離し、電話受信専用モードへ自動的に切替えるようにしても良い。このようにすることにより、電流不足の動作不良により電話を受信できない事態を防止することができる。
【００４９】
以上説明したように、第２の実施例では、モデムに供給される回線電流が閾値を超えたことを検知して電話を公衆回線より切り離し、ファクシミリ受信専用モードへ切替えるようにしたことにより、電話回線上の電流が不足することに起因する電話機のオフフック検出機能、モデム機能または電話機能の動作不良を未然に防ぐことができるという効果が得られる。
なお、第１の実施例および第２の実施例では、通信端末装置をモデムおよび電話機を搭載した多機能プリンタとして説明したが、それに限られることなくモデムおよび電話機を搭載したファクシミリ装置としても良い。
【符号の説明】
【００５０】
１    多機能プリンタ
２    公衆回線
３    ファクシミリ／電話部
４    プリンタ部
５    スキャナ部
６    オペレーションパネル部
７    制御部
２１  交換機
２２  端末Ａ
３１  モデム（シリコンＤＡＡ）
３２  外部電話
３３  フォトカプラ
３４  リレー
【図１】
2012065053.tif 000003
【図２】
2012065053.tif 000004
【図３】
2012065053.tif 000005
【図４】
2012065053.tif 000006
【図５】
2012065053.tif 000007
【図６】
2012065053.tif 000008
【図７】
2012065053.tif 000009
【図８】
2012065053.tif 000010